(57)【要約】  本願は、参照信号伝送方法および通信装置を開示する。方法は、第１の通信装置によって、第１の初期リソースインデックス、第２の初期リソースインデックス、第１の構成された帯域幅、および第２の構成された帯域幅に基づいて第１の周波数帯域を決定する段階であって、ここで、第１の初期リソースインデックスは第２の初期リソースインデックスより大きいまたはこれと等しく、第１の初期リソースインデックスは第２の初期リソースインデックスおよび第２の構成された帯域幅の和より小さいまたはこれと等しく、第１の初期リソースインデックスは第２の初期リソースインデックスおよび第２の構成された帯域幅の和より小さいまたはこれと等しい段階と、第１の通信装置によって、第１の周波数帯域上の参照信号を受信する段階と、を備える。本願を実行した場合、参照信号の実際の送信帯域幅を正確に決定することができる。
2021522751.tif 000002
【特許請求の範囲】
【請求項１】
第１の初期リソースインデックス、第２の初期リソースインデックス、第１の構成された帯域幅、および第２の構成された帯域幅に基づいて第１の周波数帯域を決定するように構成された決定ユニットであって、前記第１の初期リソースインデックスは前記第２の初期リソースインデックスより大きいまたはこれと等しく、前記第１の初期リソースインデックスは前記第２の初期リソースインデックスと前記第２の構成された帯域幅の和より小さいまたはこれと等しい、決定ユニットと、
前記第１の周波数帯域上の参照信号を受信するように構成された受信ユニットと、を備える、通信装置。
【請求項２】
第１の初期リソースインデックス、第２の初期リソースインデックス、第１の構成された帯域幅、および第２の構成された帯域幅に基づいて第１の周波数帯域を決定するように構成された決定ユニットであって、前記第１の初期リソースインデックスは前記第２の初期リソースインデックスより大きいまたはこれと等しく、前記第１の初期リソースインデックスは前記第２の初期リソースインデックスと第２の構成された帯域幅の和より小さいまたはこれと等しい、決定ユニットと、
前記第１の周波数帯域上の参照信号を送信するように構成された送信ユニットと、を備える、通信装置。
【請求項３】
前記第１の初期リソースインデックスと前記第１の構成された帯域幅の和が、前記第２の初期リソースインデックスと前記第２の構成された帯域幅の和より大きいまたはこれと等しい場合、第１の周波数帯域は以下の条件
前記第１の周波数帯域の帯域幅＝前記第２の初期リソースインデックス＋前記第２の構成された帯域幅−前記第１の初期リソースインデックス
を満たす、請求項１または２に記載の通信装置。
【請求項４】
前記第１の初期リソースインデックスと前記第１の構成された帯域幅の和が、前記第２の初期リソースインデックスと前記第２の構成された帯域幅の和よりも小さい場合、前記第１の周波数帯域の帯域幅は、前記第１の構成された帯域幅と等しい、
請求項１から３のいずれか１項に記載の通信装置。
【請求項５】
前記第１の初期リソースインデックスと前記第１の構成された帯域幅の和が、第２の初期リソースインデックスと第２の構成された帯域幅の和より大きいまたはこれと等しい場合、第１の周波数帯域は、以下の条件
前記第１の周波数帯域の帯域幅＝ｎ×［（前記第２の初期リソースインデックス＋前記第２の構成された帯域幅−前記第１の初期リソースインデックス）÷ｎ］であり、ここで、ｎは正の整数である
を満たす、請求項１または２に記載の通信装置。
【請求項６】
前記第１の初期リソースインデックスと前記第１の構成された帯域幅の和が、前記第２の初期リソースインデックスと前記第２の構成された帯域幅の和よりも小さい場合、前記第１の周波数帯域の帯域幅＝ｎ×［第１の構成された帯域幅÷ｎ］であり、ここで、ｎは正の整数である、請求項１、２または５のいずれか１項に記載の通信装置。
【請求項７】
前記第１の初期リソースインデックスは第２の周波数帯域における第１の初期リソースのインデックスであり、前記第２の初期リソースインデックスは第２の周波数帯域における第２の初期リソースのインデックスであり、前記第２の周波数帯域は、前記第２の初期リソースインデックスと前記第２の構成された帯域幅の和から１を減算した結果に対応するリソースに対して、前記第２の初期リソースインデックスに対応するリソースを有する周波数帯域である、請求項１から６のいずれか１項に記載の通信装置。
【請求項８】
前記第１の初期リソースインデックスは第３の周波数帯域における第１の初期リソースのインデックスであり、前記第２の初期リソースインデックスは前記第３の周波数帯域における第２の初期リソースのインデックスであり、前記第３の周波数帯域は第２の周波数帯域を備え、前記第２の周波数帯域は、前記第２の初期リソースインデックスと前記第２の構成された帯域幅の和から１を減算した結果に対応するリソースに対して、前記第２の初期リソースインデックスに対応するリソースを有する周波数帯域である、請求項１から６のいずれか１項に記載の通信装置。
【請求項９】
前記第３の周波数帯域は全帯域幅であり、前記第２の周波数帯域は帯域幅部分、ＢＷＰである、請求項８に記載の通信装置。
【請求項１０】
前記第１の初期リソースインデックスは前記参照信号の伝送のために構成された初期リソースのインデックスであり、前記第２の初期リソースインデックスは第２の周波数帯域の初期リソースのインデックスであり、前記第１の構成された帯域幅は前記参照信号の伝送のために構成された帯域幅であり、前記第２の構成された帯域幅は前記第２の周波数帯域のサイズであり、前記第２の周波数帯域は前記通信装置によって端末装置のために構成された周波数領域リソースであり、前記第１の周波数帯域は前記参照信号の伝送のために実際に使用される周波数帯域である、請求項１から９のいずれか１項に記載の通信装置。
【請求項１１】
前記参照信号はチャネル状態情報−参照信号である、請求項１から１０のいずれか１項に記載の通信装置。
【請求項１２】
第１の通信装置によって、第１の初期リソースインデックス、第２の初期リソースインデックス、第１の構成された帯域幅、および第２の構成された帯域幅に基づいて第１の周波数帯域を決定する段階であって、前記第１の初期リソースインデックスは前記第２の初期リソースインデックスより大きいまたはこれと等しく、前記第１の初期リソースインデックスは前記第２の初期リソースインデックスと前記第２の構成された帯域幅の和より小さいまたはこれと等しい、段階と、
前記第１の通信装置によって、前記第１の周波数帯域上の参照信号を受信する段階と、を備える、参照信号伝送方法。
【請求項１３】
第２の通信装置によって、第１の初期リソースインデックス、第２の初期リソースインデックス、第１の構成された帯域幅、および第２の構成された帯域幅に基づいて第１の周波数帯域を決定する段階であって、前記第１の初期リソースインデックスは前記第２の初期リソースインデックスより大きいまたはこれと等しく、前記第１の初期リソースインデックスは前記第２の初期リソースインデックスと前記第２の構成された帯域幅の和より小さいまたはこれと等しい、段階と、
前記第２の通信装置によって、前記第１の周波数帯域上の参照信号を送信する段階と、を備える、参照信号伝送方法。
【請求項１４】
前記第１の初期リソースインデックスと前記第１の構成された帯域幅の和が、前記第２の初期リソースインデックスと前記第２の構成された帯域幅の和より大きいまたはこれと等しい場合、第１の周波数帯域は以下の条件
前記第１の周波数帯域の帯域幅＝前記第２の初期リソースインデックス＋前記第２の構成された帯域幅−前記第１の初期リソースインデックス
を満たす、請求項１２または１３に記載の方法。
【請求項１５】
前記第１の初期リソースインデックスと前記第１の構成された帯域幅の和が、前記第２の初期リソースインデックスと前記第２の構成された帯域幅の和よりも小さい場合、前記第１の周波数帯域の帯域幅は、前記第１の構成された帯域幅と等しい、
請求項１２から１４のいずれか１項に記載の方法。
【請求項１６】
前記第１の初期リソースインデックスと前記第１の構成された帯域幅の和が、第２の初期リソースインデックスと第２の構成された帯域幅の和より大きいまたはこれと等しい場合、第１の周波数帯域は、以下の条件
前記第１の周波数帯域の帯域幅＝ｎ×［（前記第２の初期リソースインデックス＋前記第２の構成された帯域幅−前記第１の初期リソースインデックス）÷ｎ］であり、ここで、ｎは正の整数である
を満たす、請求項１２または１３に記載の方法。
【請求項１７】
前記第１の初期リソースインデックスと前記第１の構成された帯域幅の和が、前記第２の初期リソースインデックスと前記第２の構成された帯域幅の和よりも小さい場合、前記第１の周波数帯域の帯域幅＝ｎ×［第１の構成された帯域幅÷ｎ］であり、ここで、ｎは正の整数である、請求項１２、１３または１６のいずれか１項に記載の方法。
【請求項１８】
前記第１の初期リソースインデックスは第２の周波数帯域における第１の初期リソースのインデックスであり、前記第２の初期リソースインデックスは第２の周波数帯域における第２の初期リソースのインデックスであり、前記第２の周波数帯域は、前記第２の初期リソースインデックスと前記第２の構成された帯域幅の和から１を減算した結果に対応するリソースに対して、前記第２の初期リソースインデックスに対応するリソースを有する周波数帯域である、請求項１２から１７のいずれか１項に記載の方法。
【請求項１９】
前記第１の初期リソースインデックスは第３の周波数帯域における第１の初期リソースのインデックスであり、前記第２の初期リソースインデックスは前記第３の周波数帯域における第２の初期リソースのインデックスであり、前記第３の周波数帯域は第２の周波数帯域を備え、前記第２の周波数帯域は、前記第２の初期リソースインデックスと前記第２の構成された帯域幅の和から１を減算した結果に対応するリソースに対して、前記第２の初期リソースインデックスに対応するリソースを有する周波数帯域である、請求項１２から１７のいずれか１項に記載の方法。
【請求項２０】
前記第３の周波数帯域は全帯域幅であり、前記第２の周波数帯域は帯域幅部分、ＢＷＰである、請求項１９に記載の方法。
【請求項２１】
前記第１の初期リソースインデックスは前記参照信号の伝送のために構成された初期リソースのインデックスであり、前記第２の初期リソースインデックスは第２の周波数帯域の初期リソースのインデックスであり、前記第１の構成された帯域幅は前記参照信号の伝送のために構成された帯域幅であり、前記第２の構成された帯域幅は前記第２の周波数帯域のサイズであり、前記第２の周波数帯域は通信装置によって端末装置のために構成された周波数領域リソースであり、前記第１の周波数帯域は前記参照信号の伝送のために実際に使用される周波数帯域である、請求項１２から２０のいずれか１項に記載の方法。
【請求項２２】
前記参照信号はチャネル状態情報−参照信号である、請求項１２から２１のいずれか１項に記載の方法。
【請求項２３】
プログラムがコンピュータによって実行されるとき、コンピュータに請求項１２から２２のいずれか１項に記載の方法を実行させる命令を備える、コンピュータプログラム。
【請求項２４】
プロセッサ上で実行されるとき、命令は、プロセッサが請求項１２から２２のいずれか１項に記載の方法を実行することを可能にする命令を記憶するように構成される、プロセッサ可読記憶媒体。
【請求項２５】
プロセッサと、前記プロセッサに連結されたメモリとを備え、前記メモリは命令を記憶するように構成され、前記プロセッサは、前記メモリ内の命令を呼び出すように構成され、請求項１２から２２のいずれか１項に記載の方法を実行するように通信装置を制御する、通信装置。
【請求項２６】
請求項１から３、および６のいずれか１項に記載の少なくとも１つの通信装置と、請求項２に記載の少なくとも１つの通信装置とを備える、通信システム。
【発明の詳細な説明】
【技術分野】
【０００１】
本願は、通信技術の分野に関するものであり、特に、参照信号伝送方法および通信装置に関するものである。
【背景技術】
【０００２】
ロングタームエボリューション（Ｌｏｎｇ  Ｔｅｒｍ  Ｅｖｏｌｕｔｉｏｎ、ＬＴＥ）システムでは、チャネル状態情報−参照信号（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ、ＣＳＩ−ＲＳ）が全周波数帯域で伝送される。より柔軟なＣＳＩ−ＲＳ帯域幅構成を実行するために、新無線（Ｎｅｗ  Ｒａｄｉｏ，ＮＲ）Ｒ１５（リリース１５）では、既に帯域幅部分（Ｂａｎｄｗｉｄｔｈ  Ｐａｒｔ、ＢＷＰ）でのＣＳＩ−ＲＳの伝送をサポートしている。受信側装置がＣＳＩ−ＲＳが伝送される帯域幅部分を確実に認識できるようにするために、送信側装置は、帯域幅部分の構成パラメータを受信側装置に送信する必要があり、これにより受信側装置は、構成パラメータに基づいて、ＣＳＩ−ＲＳの伝送に使用される周波数領域リソースを決定することができる。帯域幅部分の構成パラメータには、初期リソースブロック（Ｒｅｓｏｕｒｃｅ  Ｂｌｏｃｋ、ＲＢ）インデックスと、構成された帯域幅（すなわち、帯域幅が占有するＲＢの量）とが含まれる。
【０００３】
既存のプロトコルでは、構成された帯域幅が対応する帯域幅部分（Ｂａｎｄｗｉｄｔｈ  Ｐａｒｔ、ＢＷＰ）より大きい場合、端末装置（Ｕｓｅｒ  Ｅｑｕｉｐｍｅｎｔ、ＵＥ）は、実際のＣＳＩ−ＲＳ帯域幅がＢＷＰのサイズに等しいものと仮定することが規定されている。
【０００４】
ＵＥが、既存のプロトコルにしたがって、ＵＥのために基地局によって構成されたＣＳＩ−ＲＳ帯域幅を決定すると、いくつかのシナリオでエラーが発生する。したがって、既存のプロトコル定義には欠陥があり、その結果、参照信号の実際の送信帯域幅を正確に決定することができない。
【発明の概要】
【０００５】
本願の実施形態は、参照信号の実際の送信帯域幅を正確に決定することができるように、参照信号伝送方法および通信装置を提供する。
【０００６】
第１の態様によれば、本願の実施形態は、第１の通信装置側に適用される参照信号伝送方法を提供する。方法は、第１の通信装置によって、第１の初期リソースインデックス、第２の初期リソースインデックス、第１の構成された帯域幅、および第２の構成された帯域幅に基づいて第１の周波数帯域を決定する段階であって、ここで、第１の初期リソースインデックスは第２の初期リソースインデックスより大きいまたはこれと等しく、第１の初期リソースインデックスは第２の初期リソースインデックスおよび第２の構成された帯域幅の和より小さいまたはこれと等しく、第１の初期リソースインデックスは第２の初期リソースインデックスおよび第２の構成された帯域幅の和より小さいまたはこれと等しい段階と、第１の通信装置によって、第１の周波数帯域上の参照信号を受信する段階と、を備える。
【０００７】
第２の態様によれば、本願の実施形態は、第２の通信装置側に適用される参照信号伝送方法を提供する。方法は、第２の通信装置によって、第１の初期リソースインデックス、第２の初期リソースインデックス、第１の構成された帯域幅、および第２の構成された帯域幅に基づいて、第１の周波数帯域を決定する段階であって、ここで、第１の初期リソースインデックスは、第２の初期リソースインデックスより大きいまたはこれと等しく、第１の初期リソースインデックスは、第２の初期リソースインデックスおよび第２の構成された帯域幅の和よりより小さいまたはこれと等しい段階と、および、第２の通信装置によって、第１の周波数帯域上の参照信号を送信する段階と、を備える。
【０００８】
第１の態様または第２の態様に記載の方法を実装することにより、通信装置は、参照信号の実際の送信帯域幅を正確に決定することができ、第１の通信装置が参照信号の伝送の帯域幅を誤って決定することを回避し、参照信号のチャネル推定性能を向上させ、それにより、フィードバックまたは伝送の精度を向上させることができる。
【０００９】
第１の態様または第２の態様を参照して、実現可能な設計例では、第１の初期リソースインデックスと第１の構成された帯域幅との和が、第２の初期リソースインデックスと第２の構成された帯域幅との和より大きいまたはこれと等しい場合、第１の周波数帯域は、以下の条件を満たす。第１の周波数帯域の帯域幅＝第２の初期リソースインデックス＋第２の構成された帯域幅−第１の初期リソースインデックス。
【００１０】
第１の態様または第２の態様を参照して、実現可能な設計例では、第１の初期リソースインデックスと第１の構成された帯域幅との和が、第２の初期リソースインデックスと第２の構成された帯域幅との和よりも小さい場合、第１の周波数帯域の帯域幅は、第１の構成された帯域幅と等しい。
【００１１】
第１の態様または第２の態様を参照して、実現可能な設計例では、第１の初期リソースインデックスと第１の構成された帯域幅の和が、第２の初期リソースインデックスと第２の構成された帯域幅の和より大きいまたはこれと等しい場合、第１の周波数帯域は、以下の条件を満たす。第１の周波数帯域の帯域幅＝ｎ×［（第２の初期リソースインデックス＋第２の構成された帯域幅−第１の初期リソースインデックス）÷ｎ］であり、ここで、ｎは正の整数である。
【００１２】
第１の態様または第２の態様を参照して、実現可能な設計例では、第１の初期リソースインデックスと第１の構成された帯域幅の和が、第２の初期リソースインデックスと第２の構成された帯域幅の和よりも小さい場合、第１の周波数帯域幅＝ｎ×［第1の構成された帯域幅÷ｎ］であり、ここで、ｎは正の整数である。
【００１３】
第１の態様または第２の態様を参照して、実現可能な設計例では、第１の初期リソースインデックスは、第２の周波数帯域における第１の初期リソースのインデックスであり、第２の初期リソースインデックスは、第２の周波数帯域における第２の初期リソースのインデックスであり、第２の周波数帯域は、第２の初期リソースインデックスと第２の構成された帯域幅の和から１を減算した結果に対応するリソースに第２の初期リソースインデックスに対応するリソースを含む周波数帯域である。
【００１４】
第１の態様または第２の態様を参照して、実現可能な設計例では、第１の初期リソースインデックスは、第３の周波数帯域における第１の初期リソースのインデックスであり、第２の初期リソースインデックスは、第３の周波数帯域における第２の初期リソースのインデックスであり、第３の周波数帯域は、第２の周波数帯域を含み、第２の周波数帯域は、第２の初期リソースインデックスと第２の構成された帯域幅との和から１を減算した結果に対応するリソースに第２の初期リソースインデックスに対応するリソースを含む周波数帯域である。
【００１５】
第１の態様または第２の態様を参照して、実現可能な設計例では、参照信号はＣＳＩ−ＲＳである。
【００１６】
第３の態様によれば、本願の実施形態によれば、通信装置が提供され、ここで、通信装置は第１の通信装置であり、第１の通信装置は、第１の態様で提供される参照信号伝送方法に対応して実行するように構成された複数の機能モジュールまたはユニットを含んでもよい。
【００１７】
第４の態様によれば、本願の実施形態によれば、通信装置が提供され、ここで、通信装置は第２の通信装置であり、第２の通信装置は、第２の態様で提供される参照信号伝送方法に対応して実行するように構成された複数の機能モジュールまたはユニットを含んでもよい。
【００１８】
第５の態様によれば、本願の実施形態は、第１の態様で提供される参照信号伝送方法を実行するために使用される通信装置を提供し、ここで、通信装置は第１の通信装置である。第１の通信装置は、メモリ、プロセッサ、送信機、および受信機を含んでもよく、ここで、送信機および受信機は、別の通信装置（例えば、第２の通信装置）と通信するように構成され、メモリは、第１の態様で提供される参照信号伝送方法のプログラムコードを記憶するように構成され、プロセッサは、メモリに記憶されたプログラムコードを実行するように構成され、すなわち、第１の態様で提供される参照信号伝送方法を実行するように構成されている。
【００１９】
第６の態様によれば、本願の実施形態は、第２の態様で提供される参照信号伝送方法を実行するために使用される通信装置を提供し、ここで、通信装置は、第２の通信装置であり、通信装置は、第２の態様で提供される参照信号伝送方法を実行するために使用される。第２の通信装置は、メモリ、プロセッサ、送信機、および受信機を含んでもよく、ここで、送信機および受信機は、別の通信装置（例えば、第１の通信装置）と通信するように構成され、メモリは、第２の態様で提供される参照信号伝送方法のプログラムコードを記憶するように構成され、プロセッサは、メモリに記憶されたプログラムコードを実行するように構成され、すなわち、第２の態様で提供される参照信号伝送方法を実行するように構成されている。
【００２０】
第７の態様によれば、本願の実施形態は、通信システムを提供し、ここで、通信システムは、第１の通信装置と第２の通信装置とを含む。第１の通信装置は、第３の態様に記載の第１の通信装置であってもよいし、第５の態様に記載の第１の通信装置であってもよいし、第２の通信装置は、第４の態様に記載の第２の通信装置であってもよいし、第６の態様に記載の第２の通信装置であってもよい。
【００２１】
第８の態様によれば、本願の実施形態によれば、通信チップが提供され、ここで、通信チップは、プロセッサと、プロセッサに連結された１または複数のインタフェースとを含み、プロセッサは、メモリから、第１の態様で提供された参照信号伝送方法を実装するためのプログラムを呼び出し、プログラムに含まれる命令を実行するように構成され、インタフェースは、プロセッサのデータ処理結果を出力するように構成されていてもよい。
【００２２】
第９の態様によれば、本願の実施形態によれば、通信チップが提供され、ここで、通信チップは、プロセッサと、プロセッサに連結された１または複数のインタフェースとを含み、プロセッサは、メモリから、第２の態様で提供された参照信号伝送方法を実装するためのプログラムを呼び出し、プログラムに含まれる命令を実行するように構成され、インタフェースは、プロセッサのデータ処理結果を出力するように構成されていてもよい。
【００２３】
第１０の態様によれば、本願の実施形態は、コンピュータ可読記憶媒体を提供し、ここで、可読記憶媒体は命令を記憶し、プロセッサ上で実行されるとき、命令は、プロセッサが第１の態様に記載の参照信号伝送方法を実行することを可能にする。
【００２４】
第１１の態様によれば、本願の実施形態は、コンピュータ可読記憶媒体を提供し、ここで、可読記憶媒体は命令を記憶し、プロセッサ上で実行されるとき、命令は、プロセッサが第２の態様に記載の参照信号伝送方法を実行することを可能にする。
【００２５】
第１２の態様によれば、本願の実施形態は、命令を含むコンピュータプログラム製品を提供し、ここで、プロセッサ上で実行されるとき、命令は、プロセッサが第１の態様に記載の参照信号伝送方法を実行することを可能にする。
【００２６】
第１３の態様によれば、本願の実施形態は、命令を含むコンピュータプログラム製品を提供し、ここで、プロセッサ上で実行されるとき、命令は、プロセッサが第２の態様に記載の参照信号伝送方法を実行することを可能にする。
【図面の簡単な説明】
【００２７】
本願の実施形態または背景技術における技術的解決手段をより明確に説明するために、以下では、本願の実施形態または背景技術を説明するために必要とされる添付図面を説明する。
【００２８】
【図１】本願の実施形態による無線通信システムの概略アーキテクチャ図である。
【００２９】
【図２Ａ】本願の実施形態によるＣＳＩ−ＲＳの構成された帯域幅を決定するシナリオの概略図である。
【００３０】
【図２Ｂ】本願の実施形態によるＣＳＩ−ＲＳの構成された帯域幅を決定する別のシナリオの概略図である。
【００３１】
【図３】本願の実施形態による端末装置のハードウェアアーキテクチャの概略図である。
【００３２】
【図４】本願の実施形態によるネットワーク装置のハードウェアアーキテクチャの概略図である。
【００３３】
【図５】本願の実施形態による参照信号伝送方法の概略フローチャートである。
【００３４】
【図６】本願の実施形態による第１の伝送リソースの構成方式の概略図である。
【００３５】
【図７】本願の実施形態による第１の伝送リソースの別の構成方式の概略図である。
【００３６】
【図８】本願の実施形態による第１の伝送リソースの別の構成方式の概略図である。
【００３７】
【図９】本願の実施形態による第１の伝送リソースの別の構成方式の概略図である。
【００３８】
【図１０】本願の実施形態による第１の伝送リソースの別の構成方式の概略図である。
【００３９】
【図１１】本願の実施形態による第１の伝送リソースの別の構成方式の概略図である。
【００４０】
【図１２】本願の実施形態による第１の伝送リソースの別の構成方式の概略図である。
【００４１】
【図１３】本願の実施形態による第１の伝送リソースの別の構成方式の概略図である。
【００４２】
【図１４】本願の実施形態による無線通信システム、第１の通信装置、および第２の通信装置の機能ブロック図である。
【００４３】
【図１５】本願の実施形態による通信チップの概略構造図である。
【発明を実施するための形態】
【００４４】
本願の実施形態の説明の部分で用いられる用語は、本願の特定の実施形態を説明するためにのみ使用され、本願を限定することを意図するものではない。
【００４５】
図１は、本願の実施形態による無線通信システムを示す。無線通信システム１００は、ライセンスされた周波数帯域で動作してもよいし、ライセンスされていない周波数帯域で動作してもよい。無線通信システム１００は、ロングタームエボリューション（Ｌｏｎｇ  Ｔｅｒｍ  Ｅｖｏｌｕｔｉｏｎ、ＬＴＥ）システムに限定されるものではなく、代替的に、将来進化する５Ｇシステム、新無線（Ｎｅｗ  Ｒａｄｉｏ、ＮＲ）システムなどであってもよい。ライセンスされていない周波数帯域の使用は、無線通信システム１００のシステム容量を増加させることができることが理解され得る。図１に示すように、無線通信システム１００は、１または複数のネットワーク装置１０１と１または複数の端末装置１０２とを含む。
【００４６】
ネットワーク装置１０１は、１または複数のアンテナを用いて、端末装置１０２との間で無線通信を実行してもよい。それぞれのネットワーク装置１０１は、対応するカバレッジエリア１０４に対して通信カバレッジを提供することができる。ネットワーク装置１０１に対応するカバレッジエリア１０４は、複数のセクタ（ｓｅｃｔｏｒ）に分割されていてもよい。１つのセクタは、カバレッジエリアの一部に対応している（図示されない）。
【００４７】
本願の実施形態では、ネットワーク装置１０１は、基地局（Ｂａｓｅ  Ｔｒａｎｓｃｅｉｖｅｒ  Ｓｔａｔｉｏｎ）、無線トランシーバ、基本サービスセット（Ｂａｓｉｃ  Ｓｅｒｖｉｃｅ  Ｓｅｔ、ＢＳＳ）、拡張サービスセット（Ｅｘｔｅｎｄｅｄ  Ｓｅｒｖｉｃｅ  Ｓｅｔ、ＥＳＳ）、ノードＢ（Ｎｏｄｅ  Ｂ）、進化ノードＢ（ｅｖｏｌｖｅｄ  ＮｏｄｅＢ、ｅＮＢまたはｅＮｏｄｅＢ）、次世代ノード（Ｎｅｘｔ  Ｇｅｎｅｒａｔｉｏｎ  ＮｏｄｅＢ、ｇＮＢ）などを含んでもよい。無線通信システム１００は、例えば、マクロ基地局（ｍａｃｒｏ  ｂａｓｅ  ｓｔａｔｉｏｎ）とマイクロ基地局（ｍｉｃｒｏ  ｂａｓｅ  ｓｔａｔｉｏｎ）との異なるタイプのネットワーク装置１０１を含んでもよい。ネットワーク装置１０１は、異なる無線技術、例えば、セル無線アクセス技術またはＷＬＡＮ無線アクセス技術を使用してもよい。
【００４８】
端末装置１０２は、無線通信システム１００全体に分散されていてもよく、静止していてもよいし、移動可能であってもよい。本願の実施形態では、端末装置１０２は、移動装置、移動局（ｍｏｂｉｌｅ  ｓｔａｔｉｏｎ）、移動ユニット（ｍｏｂｉｌｅ  ｕｎｉｔ）、無線ユニット、リモートユニット、ユーザエージェント、モバイルクライアントなどを含んでもよい。
【００４９】
本実施形態では、無線通信システム１００は、マルチビーム通信システムであってもよい。
【００５０】
ネットワーク装置１０１は、大規模なアンテナアレイを備え、ビームフォーミング技術を用いてアンテナアレイを制御し、異なる方向のビームを形成するようにしてもよい。セル１０４全体をカバーするためには、ネットワーク装置１０１は、異なる方向の複数のビームを使用する必要がある。
【００５１】
例えば、ダウンリンク処理において、ネットワーク装置１０１は、異なる方向のビームを用いて無線信号（例えば、ダウンリンク参照信号（Ｒｅｆｅｒｅｎｃｅ  Ｓｉｇｎａｌ、ＲＳ）および／またはダウンリンク同期信号ブロック（Ｓｙｎｃｈｒｏｎｉｚａｔｉｏｎ  Ｓｉｇｎａｌ  ｂｌｏｃｋ、ＳＳ  ｂｌｏｃｋ））を順次伝送してもよい。この処理は、ビームスキャン（Ｂｅａｍ  ｓｃａｎｎｉｎｇ）と呼ばれている。同時に、端末装置１０２は、端末装置１０２によって受信し得る伝送ビームの信号品質を決定するために、伝送ビームを測定する。この処理をビーム測定（Ｂｅａｍ  ｍｅａｓｕｒｅｍｅｎｔ）と呼ぶ。
【００５２】
将来の通信システムにおいて、端末装置１０２は、また、アンテナアレイを備えていてもよく、また、信号受信および伝送のための異なるビームの間で変更してもよい。すなわち、無線通信システム１００では、ネットワーク装置１０１と端末装置１０２のいずれもが複数のビームを用いて通信を行ってもよい。
【００５３】
本願の実施形態では、無線通信システム１００は、マルチキャリア（ｍｕｌｔｉ−ｃａｒｒｉｅｒ）（周波数の異なる波形信号）オペレーションをサポートしてもよい。マルチキャリア送信機は、複数のキャリアで同時に変調された信号を伝送してもよい。例えば、それぞれの通信接続１０３は、異なる無線技術を用いて変調されたマルチキャリア信号を運んでもよい。それぞれの変調された信号は、異なるキャリアで送信されてもよく、また、制御情報（例えば、参照信号、または制御チャネル情報）、オーバヘッド情報（Ｏｖｅｒｈｅａｄ  Ｉｎｆｏｒｍａｔｉｏｎ）、データなどを伝達してもよい。
【００５４】
本願の実施形態では、ネットワーク装置１０１は、端末装置１０２によるチャネル状態情報（Ｃｈａｎｎｅｌ  Ｓｔａｔｅ  Ｉｎｆｏｒｍａｔｉｏｎ、ＣＳＩ）を測定するためのチャネル状態情報−参照信号（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ、ＣＳＩ−ＲＳ）を端末装置１０２に送信する。ＣＳＩは、ランクインジケーション（Ｒａｎｋ  Ｉｎｄｉｃａｔｉｏｎ、ＲＩ）、プレコーディングマトリクス指示（Ｐｒｅｃｏｄｉｎｇ  Ｍａｔｒｉｘ  Ｉｎｄｉｃａｔｉｏｎ、ＰＭＩ）、およびチャネル品質指示（Ｃｈａｎｎｅｌ  Ｑｕａｌｉｔｙ  Ｉｎｄｉｃａｔｏｒ、ＣＱＩ）のうちの１または複数を含む。端末装置１０２は、ＣＳＩをネットワーク装置１０１にフィードバックする。端末装置１０２によってフィードバックされるＣＳＩは、ＰＭＩ、ＲＩ、およびＣＱＩのうちの１または複数を含む。ＰＭＩは、ネットワーク装置１０１がプリコーディング行列を決定するために使用される。ＲＩは、ネットワーク装置１０１により端末装置１０２に送信されるデータのレイヤの量を、同じ時間周波数リソース上で推奨するために使用される。ＣＱＩは、ネットワーク装置１０１が変調および符号化方式を決定する際に、伝送の信頼性および効率を向上させるために支援する。そして、ネットワーク装置１０１は、端末装置１０２にダウンリンクデータを送信するとき、ＰＭＩに基づいて決定されたプリコーディング行列を用いて、またはＰＭＩと他の情報に基づいて決定されたプリコーディング行列を用いて、ダウンリンクデータに対してプリコーディング処理を行ってもよい。
【００５５】
既存のプロトコルでは、ネットワーク装置１０１は、少なくとも２つのパラメータ、すなわち、初期リソースブロック（Ｒｅｓｏｕｒｃｅ  Ｂｌｏｃｋ、ＲＢ）インデックスと、構成された帯域幅（すなわち、帯域幅によって占有されるＲＢの量）を端末装置１０２に通知する必要がある。端末装置１０２は、２つのパラメータに基づいて、ＣＳＩ−ＲＳの伝送に用いられる周波数帯域の帯域幅を計算する。端末装置１０２が既存のプロトコルにしたがってＣＳＩ−ＲＳの周波数帯域の帯域幅を計算すると、いくつかのシナリオでエラーが発生する。例えば、図２Ａを参照して、ネットワーク装置１０１によって構成された帯域幅がＢＷＰサイズより大きく、初期の物理リソースブロック（Ｐｈｙｓｉｃａｌ  Ｒｅｓｏｕｒｃｅ  Ｂｌｏｃｋ、ＰＲＢ）インデックス（ｉｎｄｅｘ）が０である場合、すなわち、ＣＳＩ−ＲＳ用に構成された物理リソースブロックがＢＷＰ  ＰＲＢ０から開始される場合、現在のプロトコルは合理的である、すなわち、端末装置１０２は、実際の送信帯域幅がＢＷＰサイズであると仮定している。図２Ｂを参照すると、構成された帯域幅がＢＷＰサイズより大きく、初期ＰＲＢインデックスが０でない場合、すなわち、ＣＳＩ−ＲＳのために構成された物理リソースブロックがＢＷＰ  ＰＲＢ０から開始されない場合、現在のプロトコルは不合理である。ＣＳＩ−ＲＳの実際の送信帯域幅がＢＷＰサイズであることは不可能であり、端末装置１０２は、ＣＳＩ−ＲＳの実際の送信帯域幅がＢＷＰサイズであると仮定することはできない。この場合、端末装置の受信性能を向上させるためには、ＣＳＩ−ＲＳの実際の送信帯域幅を計算するために、より正確な計算式を用いる必要がある。ＣＳＩ−ＲＳの実際の送信帯域幅を計算する方式は、以下の方法の実施形態で詳細に説明されている。
【００５６】
図３は、本願の実施形態で提供される端末装置を示す。図３に示すように、端末装置２００は、入力および出力モジュール（オーディオ入力および出力モジュール２１８、キー入力モジュール２１６、ディスプレイ２２０などを含む）、ユーザインタフェース２０２、１または複数のプロセッサ２０４、送信機２０６、受信機２０８、カプラ２１０、アンテナ２１４、およびメモリ２１２を含んでもよい。これらの構成要素は、バスを通じて、または別の方式で接続されていてもよい。図３では、例えば、これらの構成要素はバスを通じて接続されている。
【００５７】
アンテナ２１４は、電磁エネルギーを自由空間内の電磁波に変換したり、自由空間内の電磁波を伝送線内の電磁エネルギーに変換したりするように構成されていてもよい。カプラ２１０は、アンテナ２１４で受信したモバイル通信信号を複数の信号に分割し、複数の受信機２０８に複数の信号を割り当てるように構成されている。
【００５８】
送信機２０６は、プロセッサ２０４が出力した信号に対して伝送処理を行うように構成されていてもよい。
【００５９】
受信機２０８は、アンテナ２１４で受信したモバイル通信信号に対して受信処理を行うように構成されていてもよい。
【００６０】
本願の実施形態では、送信機２０６および受信機２０８は、無線モデムとみなされてもよい。端末装置２００では、１または複数の送信機２０６および１または複数の受信機２０８が存在してもよい。
【００６１】
図３に示す送信機２０６および受信機２０８に加えて、端末装置２００は、別の通信構成要素、例えば、ＧＰＳモジュール、ブルートゥース（登録商標）（Ｂｌｕｅｔｏｏｔｈ（登録商標））モジュール、またはワイヤレスフィディリティ（登録商標）（Ｗｉｒｅｌｅｓｓ  Ｆｉｄｅｌｉｔｙ、Ｗｉ−Ｆｉ）モジュールをさらに含んでもよい。上述した無線通信信号に限定されるものではなく、端末装置２００は、別の無線通信信号、例えば、衛星信号や短波信号をさらにサポートしてもよい。端末装置２００は、無線通信に加えて、有線通信をサポートする有線ネットワークインタフェース（例えば、ＬＡＮインタフェース）２０１をさらに備えていてもよい。
【００６２】
入力および出力モジュールは、端末装置２００とユーザ／外部環境との間のインタラクションを実装するように構成されてもよく、主にオーディオ入力および出力モジュール２１８、キー入力モジュール２１６、ディスプレイ２２０などを含んでもよい。具体的には、入力および出力モジュールは、カメラ、タッチスクリーン、センサなどをさらに含んでもよい。入力および出力モジュールの全ての構成要素は、ユーザインタフェース２０２を通じてプロセッサ２０４と通信する。
【００６３】
メモリ２１２は、バスまたは入力および出力ポートを通じてプロセッサ２０４に連結されてもよく、メモリ２１２は、代替的にプロセッサ２０４と統合されてもよい。メモリ２１２は、様々なソフトウェアプログラムおよび／または命令の複数のグループを記憶するように構成されている。具体的には、メモリ２１２は、高速ランダムアクセスメモリを含んでもよく、また、不揮発性メモリ、例えば、１または複数の磁気ディスク記憶装置、フラッシュメモリ装置、または別の不揮発性ソリッドステート記憶装置を含んでもよい。なお、メモリ２１２には、オペレーティングシステム（以降、システムと呼ぶ）、例えば、Ａｎｄｒｏｉｄ（登録商標）、ｉＯＳ、Ｗｉｎｄｏｗｓ（登録商標）、Ｌｉｎｕｘ（登録商標）などの埋め込み型オペレーティングシステムが記憶されていてもよい。メモリ２１２は、ネットワーク通信プログラムをさらに記憶してもよく、ここで、ネットワーク通信プログラムは、１または複数の補助装置、１または複数の端末装置、および１または複数のネットワーク装置と通信するように構成されてもよい。メモリ２１２は、ユーザインタフェースプログラムをさらに記憶してもよく、ここで、ユーザインタフェースプログラムは、グラフィカルなオペレーションインタフェースを通じてアプリケーションプログラムのコンテンツを鮮明に表示し、メニュー、ダイアログボックス、キーなどの入力制御を用いてアプリケーションプログラムに対するユーザ制御オペレーションを受信することができる。
【００６４】
本願の実施形態では、メモリ２１２は、端末装置２００側で、本願の１または複数の実施形態で提供される参照信号伝送方法を実装するためのプログラムを記憶するように構成されていてもよい。本願の１または複数の実施形態で提供される参照信号伝送方法の実装については、後続の実施形態を参照されたい。
【００６５】
プロセッサ２０４は、コンピュータ可読命令を読み出して実行するように構成されていてもよい。具体的には、プロセッサ２０４は、メモリ２１２に記憶されたプログラム、例えば、本願の１または複数の実施形態で提供される参照信号伝送方法を端末装置２００側で実装するためのプログラムを呼び出し、後続の実施形態で方法を実装するためのプログラムに含まれる命令を実行するように構成されていてもよい。プロセッサ２０４は、移動体通信用グローバルシステム（Ｇｌｏｂａｌ  Ｓｙｓｔｅｍ  ｆｏｒ  Ｍｏｂｉｌｅ  Ｃｏｍｍｕｎｉｃａｔｉｏｎｓ、ＧＳＭ（登録商標））（２Ｇ）通信、広帯域コード分割多重アクセス（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））（３Ｇ）通信、ロングタームエボリューション（Ｌｏｎｇ  Ｔｅｒｍ  Ｅｖｏｌｕｔｉｏｎ、ＬＴＥ）（４Ｇ）通信、５Ｇ通信などのうちの１または複数をサポートしてもよい。オプションとして、プロセッサ２０４が任意のメッセージまたはデータを送信するとき、プロセッサ２０４は、送信機２０６を駆動または制御することによって、送信を具体的に実行する。オプションとして、プロセッサ２０４が任意のメッセージまたはデータを受信するとき、プロセッサ２０４は、受信機２０８を駆動または制御することによって、受信を具体的に実行する。したがって、プロセッサ２０４は、送信または受信を実行するための制御センタと考えられ、送信機２０６および受信機２０８は、送信オペレーションおよび受信オペレーションの特定の実行者であるとみなされる。
【００６６】
端末装置２００は、図１に示す無線通信システム１００における端末装置１０２であってもよく、移動装置、移動局（ｍｏｂｉｌｅ  ｓｔａｔｉｏｎ）、移動ユニット（ｍｏｂｉｌｅ  ｕｎｉｔ）、無線ユニット、リモートユニット、ユーザエージェント、モバイルクライアントなどとして実装されてもよいことが理解され得る。
【００６７】
図３に示す端末装置２００は、本願の実施形態の実装に過ぎず、実際の応用においては、端末装置２００は、より多いまたはより少ないコンポーネントをさらに含んでもよいことに留意されたい。本明細書では、これに限定されるものではない。
【００６８】
図４は、本願の実施形態で提供されるネットワーク装置を示す。図４に示すように、ネットワーク装置３００は、１または複数のプロセッサ３０１、メモリ３０２、ネットワークインタフェース３０３、送信機３０５、受信機３０６、カプラ３０７、およびアンテナ３０８を含んでもよい。これらの構成要素は、バス３０４を通じて接続されていてもよいし、別の方式で接続されていてもよい。図４では、例えば、これらの構成要素はバス３０４を通じて接続されている。
【００６９】
ネットワークインタフェース３０３は、ネットワーク装置３００によって、別の通信装置、例えば別のネットワーク装置と通信するために使用されてもよい。具体的には、ネットワークインタフェース３０３は、有線インタフェースであってもよい。
【００７０】
送信機３０５は、プロセッサ３０１が出力する信号に対して、伝送処理、例えば、信号変調を行うように構成されていてもよい。受信機３０６は、アンテナ３０８で受信したモバイル通信信号に対して、受信処理、例えば信号復調処理を行うように構成されていてもよい。本願のいくつかの実施形態では、送信機３０５および受信機３０６は、無線モデムとみなされてもよい。ネットワーク装置３００において、１または複数の送信機３０５および１または複数の受信機３０６が存在してもよい。アンテナ３０８は、伝送線内の電磁エネルギーを自由空間内の電磁波に変換するように構成してもよいし、自由空間内の電磁波を伝送線内の電磁エネルギーに変換するように構成してもよい。カプラ３０７は、モバイル通信信号を複数の信号に分割し、複数の受信機３０６に複数の信号を割り当てるように構成されていてもよい。
【００７１】
メモリ３０２は、バス３０４または入力および出力ポートを通じてプロセッサ３０１に連結されてもよく、メモリ３０２は、プロセッサ３０１と代替的に統合されてもよい。メモリ３０２は、様々なソフトウェアプログラムおよび／または命令の複数のグループを記憶するように構成されている。具体的には、メモリ３０２は、高速ランダムアクセスメモリを含んでもよく、また、不揮発性メモリ、例えば、１または複数の磁気ディスク記憶装置、フラッシュメモリ装置、または他の不揮発性ソリッドステート記憶装置を含んでもよい。メモリ３０２には、例えば、埋め込み型オペレーティングシステム、ｕＣＯＳ、ＶｘＷｏｒｋｓまたはＲＴＬｉｎｕｘなどのオペレーティングシステム（以降、システムと呼ぶ）が記憶されていてもよい。メモリ３０２は、ネットワーク通信プログラムをさらに記憶してもよく、ここで、ネットワーク通信プログラムは、１または複数の補助装置、１または複数の端末装置、および１または複数のネットワーク装置と通信するように構成されてもよい。
【００７２】
プロセッサ３０１は、無線チャネル管理、通話の実施、通信リンクの確立と切断を行い、ローカル制御エリア内のユーザに対してセルハンドオーバー制御などを提供するように構成されていてもよい。具体的には、プロセッサ３０１は、管理モジュール／通信モジュール（Ａｄｍｉｎｉｓｔｒａｔｉｏｎ  Ｍｏｄｕｌｅ／Ｃｏｍｍｕｎｉｃａｔｉｏｎ  Ｍｏｄｕｌｅ、ＡＭ／ＣＭ）（音声チャネル切り換えセンタ、情報切り換えセンタとして使用）、基本モジュール（Ｂａｓｉｃ  Ｍｏｄｕｌｅ、ＢＭ）（呼処理、シグナリング処理、無線リソース管理、無線リンク管理、回路メンテナンスなどの機能を実行するために使用）、トランスコーダ／サブマルチプレクサユニット（Ｔｒａｎｓｃｏｄｅｒ  ａｎｄ  ＳｕｂＭｕｌｔｉｐｌｅｘｅｒ、ＴＣＳＭ）（多重化、逆多重化、トランスコーディングの機能を実行するために使用）などを含んでいてもよい。
【００７３】
本願の実施形態では、プロセッサ３０１は、コンピュータ可読命令命令を読み取り実行するように構成されていてもよい。具体的には、プロセッサ３０１は、メモリ３０２に記憶されたプログラム、例えば、本願の１または複数の実施形態で提供される参照信号伝送方法をネットワーク装置３００側で実装するためのプログラムを呼び出し、そのプログラムに含まれる命令を実行するように構成されていてもよい。
【００７４】
ネットワーク装置３００は、図１に示す無線通信システム１００におけるネットワーク装置１０１であってもよく、基地局、無線トランシーバ、基本サービスセット（ＢＳＳ）、拡張サービスセット（ＥＳＳ）、ノードＢ、ｅＮｏｄｅＢ、ｇＮＢなどとして実装されてもよいことが理解され得る。
【００７５】
図４に示されたネットワーク装置３００は、本願の実施形態の実装に過ぎず、実際の応用では、ネットワーク装置３００は、より多いまたはより少ないコンポーネントをさらに含んでもよいことに留意すべきである。本明細書では、これに限定されるものではない。
【００７６】
以下の実施形態に記載の第１の通信装置が上述の端末装置であってもよく、以下の実施形態に記載の第２の通信装置が上述のネットワーク装置であってもよく、または以下の実施形態に記載の第１の通信装置が上述のネットワーク装置であってもよく、以下の実施形態に記載の第２の通信装置が上述の端末装置であってもよいことに留意すべきである。
【００７７】
無線通信システム１００、端末装置２００、およびネットワーク装置３００に対応する実施形態に基づいて、本願の実施形態は、参照信号伝送方法を提供する。図５を参照して、参照信号伝送方法は、以下の段階を含むが、これらに限定されない。
【００７８】
Ｓ５０１：第２の通信装置は、第１の初期リソースインデックス、第２の初期リソースインデックス、第１の構成された帯域幅、および第２の構成された帯域幅に基づいて第１の周波数帯域を決定し、ここで、第１の初期リソースインデックスは第２の初期リソースインデックスより大きいまたはこれと等しく、第１の初期リソースインデックスは第２の初期リソースインデックスと第２の構成された帯域幅の和より小さいまたはこれと等しい。
【００７９】
図６は、本願の実施形態で提供される第１の周波数帯域の構成方式の概略図である。図６において、第２の周波数帯域は、端末装置のためにネットワーク装置によって事前に構成された周波数領域リソースであり、第２の構成された帯域幅は、第２の周波数帯域のサイズ（または幅）であり、例えば、１０ＭＨｚまたは２０ＭＨｚである。第２の周波数帯域は、ＢＷＰであってもよいし、コモンキャリア（Ｃｏｍｍｏｎ  Ｃａｒｒｉｅｒ、ＣＣ）であってもよい。本願では、第２の周波数帯域がＢＷＰである場合を例に用いて説明する。ネットワーク装置は、端末装置のために複数の周波数領域リソースを事前に構成しておき、シグナリングを用いて、特定の周波数領域リソース、または現在の通信に使用されているまたは使用されるべき複数の周波数領域リソースのうち、特定の周波数領域リソースを端末装置に指示してもよい。例えば、ネットワーク装置は、端末装置に対して、すなわち、ＢＷＰ０、ＢＷＰ１、およびＢＷＰ２の３つのＢＷＰを事前に構成しておいてもよい（例えば、無線リソース制御（Ｒａｄｉｏ  Ｒｅｓｏｕｒｃｅ  Ｃｏｎｔｒｏｌ）シグナリングを用いた構成を実行してもよい）。ＢＷＰ０は、３０のＲＢを含み、インデックス０から２９に対応していてもよい。ＢＷＰ１は、３０のＲＢを含み、インデックス３０から５９に対応していてもよい。ＢＷＰ２は、２１のＲＢを含み、インデックス６０から８０に対応していてもよい。
【００８０】
オプションとして、段階Ｓ５０１の前に、ネットワーク装置は、ダウンリンク制御情報（Ｄｏｗｎｌｉｎｋ  Ｃｏｎｔｒｏｌ  Ｉｎｆｏｒｍａｔｉｏｎ、ＤＣＩ）、メディアアクセス制御（Ｍｅｄｉａ  Ａｃｃｅｓｓ  Ｃｏｎｔｒｏｌ、ＭＡＣ）シグナリングまたはＲＲＣシグナリングを用いて、端末装置に、ＢＷＰ１を用いてネットワーク装置と通信するように指示してもよい。代替的に、ネットワーク装置および端末装置は、通信のためにデフォルトまたはプロトコルで規定された第２の周波数帯域を使用し、命令のためのネットワークシグナリングは必要ではない。この場合、図６の第２の周波数帯域は、ＢＷＰ１として理解されてもよく、第２の構成された帯域幅は、ＢＷＰ１の帯域幅サイズ、すなわち３０として理解されてもよい。
【００８１】
第２の初期リソースインデックスは、第２の周波数帯域における初期リソースのインデックスである。初期リソースは、第２の周波数帯域内で最も低い周波数を有するリソース、または第２の周波数帯域内で最小のインデックスを有するリソースとして理解されてもよい。本願の実施形態に記載されているインデックスは全て周波数領域のインデックスである。例えば、第２の周波数帯域がＢＷＰ１の場合、第２の初期リソースインデックスは３０である。
【００８２】
これに対応して、図６を例にとるとき、第２の周波数帯域では、第２の初期リソースインデックスは３０であり、サイズは３０ＲＢである。
【００８３】
ＲＢの量で表されることに加えて、第２の周波数帯域のサイズは、代替的に、リソースブロックグループ（Ｒｅｓｏｕｒｃｅ  Ｂｌｏｃｋ  Ｇｒｏｕｐ、ＲＢＧ）の量、例えば、３０ＲＢＧで表されてもよく、ここで、１つのＲＢＧが１または複数のＲＢを含んでもよく、または、サブキャリア（ｓｕｂｃａｒｒｉｅｒ）の量、例えば、１２０サブキャリアで表されてもよく、ここで、１つのＲＢが複数のサブキャリアなどを含んでもよいことに留意すべきである。これに対応して、第２の初期リソースインデックスは、ＲＧＢ３０またはサブキャリア３０で代替的に表現されてもよい。本願では特にこれに限定されない。本願の実施形態では、第２の周波数帯域のサイズをＲＢの量で表した例を説明に用いることもできる。
【００８４】
第１の構成された帯域幅は、端末装置のネットワーク装置によって構成された帯域幅であり、参照信号の伝送に使用される帯域幅である。参照信号は、ＣＳＩ−ＲＳを含んでもよいが、これに限定されない。第１の初期リソースインデックスは、ネットワーク装置が端末装置に対して構成した初期リソースのインデックスであり、参照信号の伝送に使用する初期リソースのインデックスである。第２の構成された帯域幅と同様に、第１の構成された帯域幅は、ＲＢの量で表現されてもよいし、またはＲＢＧの量で表現されてもよいし、あるいはサブキャリアの量で表現されてもよい。これに対応して、第２の初期リソースインデックスと同様に、第１の初期リソースインデックスは、ＲＢインデックス、ＲＢＧインデックス、サブキャリアインデックスなどであってもよい。本願ではこれに限定されない。オプションとして、第１の構成された帯域幅の最小値は、ｍｉｎ（ｍ、第２の構成された帯域幅）に等しくてもよく、ここで、ｍは正の整数である。例えば、ｍは２４であり、第２の構成された帯域幅が３０に等しい場合、第１の構成された帯域幅の最小値は２４ＲＢである。
【００８５】
第１の初期リソースインデックスは、第２の初期リソースインデックスと等しくてもよいし、または第２の初期リソースインデックスより大きくてもよいことに留意すべきである。第１の初期リソースインデックスは、第２の周波数帯域内で最大のインデックスを有するリソースのインデックスより小さいまたはこれと等しく、または第１の初期リソースインデックスは、第２の初期リソースインデックスと第２の構成された帯域幅の和から１を減算した結果より小さいまたはこれと等しい。すなわち、第１の初期リソースインデックスに対応するリソースは、第２の周波数帯域の範囲内にある必要がある。第１の構成された帯域幅のサイズは、第２の構成された帯域幅のサイズと等しくてもよいし、または第２の構成された帯域幅のサイズより大きくても小さくてもよい。
【００８６】
オプションとして、段階Ｓ５０１の前に、ネットワーク装置は、シグナリングを用いて、第１の初期リソースインデックスおよび第１の構成された帯域幅を端末装置に送信する。例えば、ネットワーク装置は、ＲＲＣシグナリング、ＭＡＣ層シグナリング、または物理層シグナリングを用いて、第１の初期リソースインデックスおよび第１の構成された帯域幅を端末装置に送信してもよい。ネットワーク装置は、同じシグナリングの要素を用いて、または異なるシグナリングの要素を用いて第１の初期リソースインデックスと第１の構成された帯域幅を送信してもよい。本願ではこれに限定されない。
【００８７】
図６において、第１の周波数帯域は、参照信号の伝送に実際に使用される計算された周波数帯域である。
【００８８】
ＮＲ  Ｒｅｌ−１５規格では、ネットワーク装置によって構成された第１の構成された帯域幅と第１の初期リソースインデックスの両方を４つのＲＢのユニットで表現することが規定されている。しかしながら、ＢＷＰの帯域幅は、１つのＲＢをユニットとして表される。したがって、ネットワーク装置によって構成された第１の構成された帯域幅に対応する部分リソースは、第２の周波数帯域の範囲を超えてもよい。例えば、図６では、第２の周波数帯域がＢＷＰ１、すなわち、第２の構成された帯域幅が３０に等しく、第１の構成された帯域幅が２０に等しくなると仮定すると、第１の構成された帯域幅に対応する２つのＲＢは、第２の周波数帯域の範囲内には存在しない。この場合、端末装置の受信性能を向上させるためには、参照信号の伝送に実際に使用される帯域幅、すなわち第１の周波数帯域の帯域幅を計算する必要がある。
【００８９】
実装では、第１の初期リソースインデックスと第１の構成された帯域幅の和が、第２の初期リソースインデックスと第２の構成された帯域幅の和より大きいまたはこれと等しい場合、第１の周波数帯域は、以下の条件
第１の周波数帯域の帯域幅＝第２の初期リソースインデックス＋第２の構成された帯域幅−第１の初期リソースインデックス
を満たす。すなわち、第１の周波数帯域の初期リソースインデックスは第１の初期リソースインデックスであり、第１の周波数帯域の終了リソースインデックスは（第２の初期リソースインデックス＋第２の構成された帯域幅−１）である。第１の周波数帯域の終了リソースインデックスは、第１の周波数帯域の中で最大のインデックスを有するリソースに対応するインデックスである。
【００９０】
第１の周波数帯域によって満たされる上述の決定条件または式および／または上述の条件は、任意の変形体を有してもよく、任意の変形体は、任意の変形体が最後に第１の周波数帯域によって満たされる上述の決定条件または式および／または上述の条件に変換され得ることを条件に、第１の周波数帯域によって満たされる上述の決定条件または式および／または上述の条件を満たしているとみなされてもよいことに留意すべきである。例えば、第１の初期リソースインデックスと第１の構成された帯域幅の和から１を減算した結果が、第２の初期リソースインデックスと第２の構成された帯域幅の和から１を減算した結果より大きいまたはこれと等しい場合、第１の周波数帯域は以下の条件
第１の周波数帯域の帯域幅＝第２の初期リソースインデックス＋第２の構成された帯域幅−第１の初期リソースインデックス
を満たす。
【００９１】
例えば、図６を参照して、第２の周波数帯域がＢＷＰ１であると仮定すると、第２の初期リソースはＲＢ３０であり、第２の初期リソースインデックスは３０であり、第２の構成された帯域幅は３０である。第１の初期リソースはＲＢ４２であり、第１の初期リソースインデックスは４２であり、第１の構成された帯域幅は２０である。この場合、４２＋２０＞３０＋３０となる。したがって、第１の周波数帯域の帯域幅＝３０＋３０−４２＝１８となる。第１の周波数帯域の初期リソースインデックスが４２であり、第１の周波数帯域のサイズが１８ＲＢであるか、または、第１の周波数帯域の初期リソースインデックスが４２であり、第１の周波数帯域の終了リソースインデックスが５９である。
【００９２】
図６は、第１の初期リソースインデックスが第２の初期リソースインデックスより大きい例を用いて説明を提供する。図７を参照して、第１の初期リソースインデックスが第２の初期リソースインデックスと等しい場合の第１の周波数帯域の構成方式について以下で説明する。図７を参照すると、第２の周波数帯域がＢＷＰ１であると仮定すると、第２の初期リソースはＲＢ３０であり、第２の初期リソースインデックスは３０であり、第２の構成された帯域幅は３０である。第１の初期リソースインデックスは３０であり、第１の構成された帯域幅は３２である。この場合、３０＋３２＞３０＋３０となる。したがって、第１の周波数帯域の帯域幅＝３０＋３０−３０＝３０となる。第１の周波数帯域の初期リソースインデックスが３０であり、第１の周波数帯域のサイズが３０ＲＢであるか、または、第１の周波数帯域の初期リソースインデックスが３０であり、第１の周波数帯域の終了リソースインデックスが５９である。
【００９３】
別の実装では、第１の初期リソースインデックスと第１の構成された帯域幅の和が、第２の初期リソースインデックスと第２の構成された帯域幅の和よりも小さい場合、第１の周波数帯域の帯域幅は、第１の構成された帯域幅と等しい。すなわち、第１の周波数帯域の初期リソースインデックスは第１の初期リソースインデックスであり、第１の周波数帯域の終了リソースインデックスは（第１の構成された帯域幅＋第１の初期リソースインデックス−１）である。
【００９４】
例えば、図８を参照して、第２の周波数帯域がＢＷＰ１であると仮定すると、第２の初期リソースはＲＢ３０であり、第２の初期リソースインデックスは３０であり、第２の構成された帯域幅は３０である。第１の初期リソースはＲＢ４２であり、第１の初期リソースインデックスは４２であり、第１の構成された帯域幅は１２である。この場合、４２＋１２＜３０＋３０となる。したがって、第１の周波数帯域の帯域幅＝１２となる。第１の周波数帯域の初期リソースインデックスが４２であり、第１の周波数帯域のサイズが１２ＲＢであるか、または、第１の周波数帯域の初期リソースインデックスが４２であり、第１の周波数帯域の終了リソースインデックスが５３である。
【００９５】
図８は、第１の初期リソースインデックスが第２の初期リソースインデックスより大きい例を用いて説明を提供する。図９を参照して、第１の初期リソースインデックスが第２の初期リソースインデックスと等しい場合の第１の周波数帯域の構成方式について以下で説明する。図９を参照すると、第２の周波数帯域がＢＷＰ１であると仮定すると、第２の初期リソースはＲＢ３０であり、第２の初期リソースインデックスは３０であり、第２の構成された帯域幅は３０である。第１の初期リソースインデックスは３０であり、第１の構成された帯域幅は１２である。この場合、３０＋１２＜３０＋３０となる。したがって、第１の周波数帯域の帯域幅＝１２となる。第１の周波数帯域の初期リソースインデックスが３０であり、第１の周波数帯域のサイズが１２ＲＢであるか、または、第１の周波数帯域の初期リソースインデックスが３０であり、第１の周波数帯域の終了リソースインデックスが４１である。
【００９６】
上述のいくつかの例では、初期リソースが全周波数帯域のインデックスを占有する例が、第１の初期リソースインデックスと第２の初期リソースインデックスの両方に使用されている。全周波数帯域のインデックス方式の概略図については、図１０を参照されたい。異なるＢＷＰのリソースは、全周波数帯域を通してあわせてインデックス化されている。全周波数帯域の帯域幅は、ＲＲＣシグナリング、ＭＡＣ層シグナリング、または物理層シグナリングを用いてネットワーク装置によって構成されてもよいし、プロトコルで規定されていてもよい。ネットワーク装置がＲＲＣシグナリングを用いて全周波数帯域の帯域幅を構成する場合、ＲＲＣシグナリングは、システム情報であってもよいし、専用のＲＲＣメッセージであってもよい。本願ではこれに限定されない。例えば、全周波数帯域の帯域幅は１００ＧＨｚまたは２０ＧＨｚである。全周波数帯域は、第２の周波数帯域を含む。この場合、ＲＢは、全周波数帯域におけるコモンリソースブロック（Ｃｏｍｍｏｎ  Ｒｅｓｏｕｒｃｅ  Ｂｌｏｃｋ、ＣＲＢ）と代替的に呼ばれてもよく、ＲＢインデックスは、ＣＲＢインデックスと代替的に呼ばれてもよい。したがって、第１の初期リソースインデックスと第２の初期リソースインデックスは、ＣＲＢインデックスで表されてもよい。例えば、図１０では、第２の初期リソースインデックスはＣＲＢ３０であり、すなわち、第２の初期リソースインデックスは３０に等しい。全周波数帯域を第３の周波数帯域に置き換えてもよい。第３の周波数帯域は、第２の周波数帯域を含む。すなわち、第３の周波数帯域のリソースは、第２の周波数帯域のリソースを含み、第２の周波数帯域以外のリソースをさらに含んでもよい。例えば、図１０では、全周波数帯域は、第２の周波数帯域ＢＷＰ１を含むだけではなく、ＢＷＰ１に加えて、ＢＷＰ０とＢＷＰ２も含む。
【００９７】
加えて、第１の初期リソースインデックスおよび第２の初期リソースインデックスは、単一のＢＷＰ内のインデックスに基づいて代替的に計算されてもよい。単一のＢＷＰインデックス方式の概略図については、図１１を参照されたい。ＢＷＰ内のリソースは、ＢＷＰ内でのみインデックス化される。この場合、ＲＢは、ＢＷＰの帯域幅内の物理リソースブロック（Ｐｈｙｓｉｃａｌ  Ｒｏｓｏｕｓｅ  Ｂｌｏｃｋ、ＰＲＢ）と呼ばれてもよく、ＲＢインデックスは、ＰＲＢインデックスと呼ばれてもよい。したがって、第１の初期リソースインデックスと第２の初期リソースインデックスは、ＰＲＢインデックスで表されてもよい。例えば、図１１では、第２の初期リソースインデックスはＰＲＢ０、すなわち、第２の初期リソースインデックスは０に等しい。１つのＲＢの帯域幅は、例えば、周波数領域で１２回連続するサブキャリアであってもよい。
【００９８】
図６から図１１に示す実装では、第１の周波数帯域の帯域幅は、１つの最小リソースユニット（例えば、１つのＲＢ、１つのＲＢＧ、または１つのサブキャリア）に基づいて決定される。オプションとして、第１の周波数帯域の帯域幅は、代替的に、ｎ個の最小リソースユニット（例えば、ｎ個のＲＢ、ｎ個のＲＢＧ、またはｎ個のサブキャリア）に基づいて構成されてもよく、ここで、ｎは正の整数である。ｎの値は、リソーススケジューリング粒度のサイズ、ＣＳＩフィードバック粒度のサイズ、またはサブバンド（ｓｕｂ−ｂａｎｄ）のサイズと一致してもよい。例えば、ＣＳＩ構成報告の柔軟性を確保するために、ｎの値は最小サブバンドサイズであってもよい。
【００９９】
実装では、第１の初期リソースインデックスと第１の構成された帯域幅の和が、第２の初期リソースインデックスと第２の構成された帯域幅の和より大きいまたはこれと等しい場合、第１の周波数帯域は、以下の条件
第１の周波数帯域の帯域幅＝ｎ×［（第２の初期リソースインデックス＋第２の構成された帯域幅−第１の初期リソースインデックス）÷ｎ］であり、ここで、［］は切り捨てを表し、ｎは正の整数である
を満たす。
【０１００】
例えば、ｎ＝４である。図１２を参照すると、第２の周波数帯域がＢＷＰ１であると仮定すると、第２の初期リソースはＲＢ３０であり、第２の初期リソースインデックスは３０であり、第２の構成された帯域幅は３０である。第１の初期リソースはＲＢ４２であり、第１の初期リソースインデックスは４２であり、第１の構成された帯域幅は２０である。この場合、４２＋２０＞３０＋３０となる。したがって、第１の周波数帯域の帯域幅＝４×［（３０＋３０−４２）÷４］＝１６となる。第１の周波数帯域の初期リソースインデックスが４２であり、第１の周波数帯域のサイズが１６ＲＢであるか、または、第１の周波数帯域の初期リソースインデックスが４２であり、第１の周波数帯域の終了リソースインデックスが５７である。
【０１０１】
別の実装では、第１の初期リソースインデックスと第１の構成された帯域幅の和が、第２の初期リソースインデックスと第２の構成された帯域幅の和よりも小さい場合、第１の周波数帯域の帯域幅＝ｎ×［第１の構成された帯域幅÷ｎ］であり、ここで、ｎは正の整数である。
【０１０２】
例えば、ｎ＝４である。図１３を参照すると、第２の周波数帯域がＢＷＰ１であると仮定すると、第２の初期リソースはＲＢ３０であり、第２の初期リソースインデックスは３０であり、第２の構成された帯域幅は３０である。第１の初期リソースはＲＢ４２であり、第１の初期リソースインデックスは４２であり、第１の構成された帯域幅は１２である。この場合、４２＋１２＜３０＋３０となる。したがって、第１の周波数帯域の帯域幅＝４×［１２÷４］＝１２となる。第１の周波数帯域の初期リソースインデックスが４２であり、第１の周波数帯域のサイズが１２ＲＢであるか、または、第１の周波数帯域の初期リソースインデックスが４２であり、第１の周波数帯域の終了リソースインデックスが５３である。
【０１０３】
別の実装では、第１の初期リソースインデックスと第１の構成された帯域幅の和が、第２の初期リソースインデックスと第２の構成された帯域幅の和より大きいまたはこれと等しく、第１の構成された帯域幅が第２の構成された帯域幅より小さいまたはこれと等しい場合に、第１の周波数帯域は、以下の条件
第１の周波数帯域の帯域幅＝第１の構成された帯域幅であり、第１の周波数帯域の初期リソースインデックス＝第１の初期リソースインデックス−（第１の構成された帯域幅の終了リソースインデックス−第２の構成された帯域幅の終了リソースインデックス）である、
を満たす。この実装では、リソースインデックスは、全周波数帯域に基づいて提供されるインデックスであることに留意すべきである。例えば、図１３を参照して、第２の周波数帯域がＢＷＰ１であると仮定すると、第２の初期リソースはＲＢ３０であり、第２の初期リソースインデックスは３０であり、第２の構成された帯域幅は３０である。第１の初期リソースはＲＢ４２であり、第１の初期リソースインデックスは４２であり、第１の構成された帯域幅は２０である。この場合、４２＋２０＞３０＋３０、２０＜３０となる。したがって、第１の周波数帯域の帯域幅＝２０となる。第１の周波数帯域の初期リソースインデックスが４２−（６１−５９）＝４０であり、第１の周波数帯域のサイズが２０ＲＢであるか、または、第１の周波数帯域の初期リソースインデックスが４０であり、第１の周波数帯域の終了リソースインデックスが５９である。
【０１０４】
オプションとして、参照信号は、アップリンク参照信号であってもよいし、ダウンリンク参照信号であってもよい。参照信号は、ＣＳＩ−ＲＳ、サウンディング参照信号（Ｓｏｕｎｄｉｎｇ  Ｒｅｆｅｒｅｎｃｅ  Ｓｉｇｎａｌ、ＳＲＳ）、および復調参照信号（Ｄｅｍｏｄｕｌａｔｉｏｎ  Ｒｅｆｅｒｅｎｃｅ  Ｓｉｇｎａｌ、ＤＭＲＳ）を含むが、これらに限定されない。
【０１０５】
Ｓ５０２：第１の通信装置は、第１の初期リソースインデックス、第２の初期リソースインデックス、第１の構成された帯域幅、および第２の構成された帯域幅に基づいて第１の周波数帯域を決定し、ここで、第１の初期リソースインデックスは第２の初期リソースインデックスより大きいまたはこれと等しく、第１の初期リソースインデックスは第２の初期リソースインデックスと第２の構成された帯域幅の和より小さいまたはこれと等しい。
【０１０６】
第１の通信装置によって、第１の初期リソースインデックス、第２の初期リソースインデックス、第１の構成された帯域幅、および第２の構成された帯域幅に基づいて第１の周波数帯域を決定する方式については、第２の通信装置によって、第１の初期リソースインデックス、第２の初期リソースインデックス、第１の構成された帯域幅、および第２の構成された帯域幅に基づいて第１の周波数帯域を決定する方式を参照されたい。詳細は、本明細書では再度説明されない。
【０１０７】
段階Ｓ５０１およびＳ５０２については、時系列的な順序がないことに留意すべきである。
【０１０８】
Ｓ５０３：第２の通信装置は、第１の周波数帯域上の参照信号を送信し、第１の通信装置は、第１の周波数帯域上の参照信号を受信する。
【０１０９】
本願の実施形態では、上述の実施形態に従って第１の周波数帯域を計算した後、第２の通信装置は、第１の周波数帯域上の参照信号を送信する。例えば、第１の周波数帯域の初期リソースインデックス＝第１の初期リソースインデックスであり、第１の周波数帯域の帯域幅＝第２の初期リソースインデックス＋第２の構成された帯域幅−第１の初期リソースインデックスであるので、第２の通信装置は、［Ｎ１，Ｎ２］のリソースのセグメント内で参照信号を送信し、ここで、Ｎ１は、第１の初期リソースインデックスに対応するリソースを表し、Ｎ２は、インデックス＝第２の初期リソースインデックス＋第２の構成された帯域幅−１であるリソースを表す。
【０１１０】
これに対応して、上述の実施形態に従って第１の周波数帯域を計算した後、第１の通信装置は、第１の周波数帯域上の参照信号を受信する。例えば、第１の周波数帯域の初期リソースインデックス＝第１の初期リソースインデックスであり、第１の周波数帯域の帯域幅＝第２の初期リソースインデックス＋第２の構成された帯域幅−第１の初期リソースインデックスであるので、第１の通信装置は、［Ｎ１，Ｎ２］のリソースのセグメント内で参照信号を受信し、ここで、Ｎ１は、第１の初期リソースインデックスに対応するリソースを表し、Ｎ２は、インデックス＝第２の初期リソースインデックス＋第２の構成された帯域幅−１であるリソースを表す。
【０１１１】
本願の実施形態が実行されるとき、既存のプロトコル定義の欠陥が解決され、受信側装置が参照信号の実際の送信帯域幅を正確に計算できるようになり、第１の通信装置が参照信号の伝送帯域幅のサイズを誤って決定することを回避し、参照信号のチャネル推定性能を向上させ、それによりフィードバックまたは伝送精度を向上させ、通信性能を向上させることができる。
【０１１２】
図１４は、本願で提供される無線通信システム、第１の通信装置、および第２の通信装置を示す。無線通信システム６００は、第１の通信装置７００と第２の通信装置８００とを含む。第１の通信装置７００は、図１に示す実施形態では、ネットワーク装置１０１または端末装置１０２であってもよく、これに対応して、第２の通信装置８００は、図１に示す実施形態では、端末装置１０２またはネットワーク装置１０１であってもよい。無線通信システム６００は、図１で説明した無線通信システム１００であってもよい。以下、第１の通信装置７００と第２の通信装置８００とを別個に説明する。
【０１１３】
図１４に示すように、第１の通信装置７００は、決定ユニット７０１と受信ユニット７０２を含んでもよい。ここで、決定ユニット７０１は、第１の初期リソースインデックス、第２の初期リソースインデックス、第１の構成された帯域幅、および第２の構成された帯域幅に基づいて第１の周波数帯域を決定するように構成されており、ここで、第１の初期リソースインデックスは、第２の初期リソースインデックスより大きいまたはこれと等しく、および、第１の初期リソースインデックスは、第２の初期リソースインデックスと第２の構成された帯域幅の和より小さいまたはこれと等しく、および、受信ユニット７０２は、第１の周波数帯域の参照信号を受信するように構成されている。
【０１１４】
オプションとして、第１の初期リソースインデックスと第１の構成された帯域幅との和が、第２の初期リソースインデックスと第２の構成された帯域幅との和より大きいまたはこれと等しい場合、第１の周波数帯域は、以下の条件を満たす。第１の周波数帯域の帯域幅＝ｎ×［（第２の初期リソースインデックス＋第２の構成された帯域幅−第１の初期リソースインデックス）÷ｎ］。
【０１１５】
オプションとして、第１の初期リソースインデックスと第１の構成された帯域幅との和が、第２の初期リソースインデックスと第２の構成された帯域幅との和よりも小さい場合、第１の周波数帯域の帯域幅は、第１の構成された帯域幅と等しい。
【０１１６】
オプションとして、第１の初期リソースインデックスと第１の構成された帯域幅との和が、第２の初期リソースインデックスと第２の構成された帯域幅との和より大きいまたはこれと等しい場合、第１の周波数帯域は、以下の条件を満たす。第１の周波数帯域の帯域幅＝ｎ×［（第２の初期リソースインデックス＋第２の構成された帯域幅−第１の初期リソースインデックス）÷ｎ］であり、ここで、ｎは正の整数である。
【０１１７】
オプションとして、第１の初期リソースインデックスと第１の構成された帯域幅の和が、第２の初期リソースインデックスと第２の構成された帯域幅の和よりも小さい場合、第１の周波数帯域の帯域幅＝ｎ×［第1の構成された帯域幅÷ｎ］であり、ここで、ｎは正の整数である。
【０１１８】
オプションとして、第１の初期リソースインデックスは、第２の周波数帯域における第１の初期リソースのインデックスであり、第２の初期リソースインデックスは、第２の周波数帯域における第２の初期リソースのインデックスであり、第２の周波数帯域は、第２の初期リソースインデックスと第２の構成された帯域幅の和から１を減算した結果に対応するリソースに第２の初期リソースインデックスに対応するリソースを含む周波数帯域である。
【０１１９】
オプションとして、全周波数帯域は、第３の周波数帯域に置き換えられてもよい。第３の周波数帯域は、第２の周波数帯域を含む。すなわち、第３の周波数帯域のリソースは、第２の周波数帯域のリソースを含み、第２の周波数帯域以外のリソースをさらに含んでもよい。第１の初期リソースインデックスは、第３の周波数帯域における第１の初期リソースのインデックスであり、第２の初期リソースインデックスは、第３の周波数帯域における第２の初期リソースのインデックスであり、第２の周波数帯域は、第２の初期リソースインデックスと第２の構成された帯域幅の和から１を減算した結果に対応するリソースに第２の初期リソースインデックスに対応するリソースを含む周波数帯域である。
【０１２０】
オプションとして、参照信号は、チャネル状態情報−参照信号である。
【０１２１】
第１の通信装置７００に含まれる機能ユニットの具体的な実装方式については、上述の実施形態を参照してもよく、詳細は本明細書に再度説明されないことが理解され得る。
【０１２２】
図１４に示すように、第２の通信装置８００は、決定ユニット８０１と送信ユニット８０２を含んでもよい。ここで、決定ユニット８０１は、第１の初期リソースインデックス、第２の初期リソースインデックス、第１の構成された帯域幅、および第２の構成された帯域幅に基づいて第１の周波数帯域を決定するように構成されており、ここで、第１の初期リソースインデックスは、第２の初期リソースインデックスより大きいまたはこれと等しく、および、第１の初期リソースインデックスは、第２の初期リソースインデックスと第２の構成された帯域幅の和より小さいまたはこれと等しく、および、送信ユニット８０２は、第１の周波数帯域上の参照信号を送信するように構成されている。
【０１２３】
オプションとして、第１の初期リソースインデックスと第１の構成された帯域幅との和が、第２の初期リソースインデックスと第２の構成された帯域幅との和より大きいまたはこれと等しい場合、第１の周波数帯域は、以下の条件を満たす。第１の周波数帯域の帯域幅＝ｎ×［（第２の初期リソースインデックス＋第２の構成された帯域幅−第１の初期リソースインデックス）÷ｎ］。
【０１２４】
オプションとして、第１の初期リソースインデックスと第１の構成された帯域幅との和が、第２の初期リソースインデックスと第２の構成された帯域幅との和よりも小さい場合、第１の周波数帯域の帯域幅は、第１の構成された帯域幅と等しい。
【０１２５】
オプションとして、第１の初期リソースインデックスと第１の構成された帯域幅との和が、第２の初期リソースインデックスと第２の構成された帯域幅との和より大きいまたはこれと等しい場合、第１の周波数帯域は、以下の条件を満たす。第１の周波数帯域の帯域幅＝ｎ×［（第２の初期リソースインデックス＋第２の構成された帯域幅−第１の初期リソースインデックス）÷ｎ］であり、ここで、ｎは正の整数である。
【０１２６】
オプションとして、第１の初期リソースインデックスと第１の構成された帯域幅の和が、第２の初期リソースインデックスと第２の構成された帯域幅の和よりも小さい場合、第１の周波数帯域の帯域幅＝ｎ×［第１の構成された帯域幅÷ｎ］であり、ここで、ｎは正の整数である。
【０１２７】
オプションとして、第１の初期リソースインデックスは、第２の周波数帯域における第１の初期リソースのインデックスであり、第２の初期リソースインデックスは、第２の周波数帯域における第２の初期リソースのインデックスであり、第２の周波数帯域は、第２の初期リソースインデックスと第２の構成された帯域幅の和から１を減算した結果に対応するリソースに第２の初期リソースインデックスに対応するリソースを含む周波数帯域である。
【０１２８】
オプションとして、第１の初期リソースインデックスは、第３の周波数帯域における第１の初期リソースのインデックスであり、第２の初期リソースインデックスは、第３の周波数帯域における第２の初期リソースのインデックスであり、第３の周波数帯域は、第２の周波数帯域を含み、第２の周波数帯域は、第２の初期リソースインデックスと第２の構成された帯域幅との和から１を減算した結果に対応するリソースに第２の初期リソースインデックスに対応するリソースを含む周波数帯域である。
【０１２９】
オプションとして、参照信号は、チャネル状態情報−参照信号である。
【０１３０】
第２の通信装置８００に含まれる機能ユニットの具体的な実装方式については、上述の実施形態を参照してもよく、詳細は本明細書に再度説明されないことが理解され得る。
【０１３１】
図１５は、本願で提供される通信チップの概略構造図である。図１５に示すように、通信チップ１５０は、プロセッサ１５０１と、プロセッサ１５０１に連結された１または複数のインタフェース１５０２とを含んでもよい。
【０１３２】
プロセッサ１５０１は、コンピュータ可読命令を読み出して実行するように構成されていてもよい。具体的な実装方式では、プロセッサ１５０１は、主にコントローラ、演算子、およびレジスタを含んでもよい。コントローラは主に命令の復号を担当し、命令に対応したオペレーションのための制御信号を送信する。オペレータは主に固定小数点演算または浮動小数点演算、シフト演算、論理演算などを行うことを担うが、アドレス演算や変換を行う場合もある。レジスタは主に、一時的に記憶される必要があるレジスタオペランドや中間オペレーション結果など、命令実行処理で引き起こされるものを節約する役割を担う。具体的な実装方式では、プロセッサ１５０１のハードウェアアーキテクチャは、アプリケーション固有の集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、ＡＳＩＣ）アーキテクチャ、ＭＩＰＳアーキテクチャ、ＡＲＭアーキテクチャ、ＮＰアーキテクチャなどであってもよい。プロセッサ１５０１は、シングルコアまたはマルチコアプロセッサであってもよい。
【０１３３】
インタフェース１５０２は、処理予定データをプロセッサ１５０１に入力するように構成されていてもよく、プロセッサ１５０１の処理結果を外部に出力するように構成されていてもよい。具体的な実装方式では、インタフェース１５０２は、汎用入出力（Ｇｅｎｅｒａｌ  Ｐｕｒｐｏｓｅ  Ｉｎｐｕｔ／Ｏｕｔｐｕｔ、ＧＰＩＯ）インタフェースであってもよく、複数の周辺装置（例えば、ディスプレイ（ＬＣＤ）、カメラ（ｃａｍｅｒａ）、無線周波数（Ｒａｄｉｏ  Ｆｒｅｑｕｅｎｃｙ、ＲＦ）モジュール）に接続されていてもよい。インタフェース１５０２は、バス１５０３を通じてプロセッサ１５０１に接続されている。
【０１３４】
本願では、プロセッサ１５０１は、本願の１または複数の実施形態で提供される参照信号伝送方法を通信装置側で実装するためのプログラムをメモリから呼び出し、そのプログラムに含まれる命令を実行するように構成されていてもよい。インタフェース１５０２は、プロセッサ１５０１の実行結果を出力するように構成されていてもよい。本願では、インタフェース１５０２は、プロセッサ１５０１のリソース割り当て結果を出力するように具体的に構成されていてもよい。本願の１または複数の実施形態で提供される参照信号伝送方法については、上述の実施形態を参照し、詳細は本明細書で再度説明されない。
【０１３５】
プロセッサ１５０１およびインタフェース１５０２に対応する機能は、ハードウェア設計、ソフトウェア設計、またはソフトウェアとハードウェアの組み合わせを通じて実装されてもよいことに留意すべきである。本明細書では、これに限定されるものではない。
【０１３６】
本願の明細書、特許請求の範囲および添付図面において、「第１」、「第２」、「第３」、「第４」等の用語は、異なる対象物間を区別するためのものであるが、特定の順序を示すことを意図するものではない。加えて、「含む」および「有する」といった用語およびそれらの任意の他の派生語は、非排他的包含に及ぶことが意図されている。例えば、一連の段階またはユニットを含む処理、方法、システム、製品、および装置は、列挙された段階またはユニットに限定されるものではなく、オプションとして、列挙されていない段階またはユニットをさらに含むか、オプションとして、当該処理、方法、製品、または装置に固有の別の段階またはユニットをさらに含む。
【０１３７】
上述の実施形態の全てまたはいくつかは、ソフトウェア、ハードウェア、ファームウェア、またはそれらの任意の組み合わせを通じて実装されてもよい。実施形態を実装するためにソフトウェアが使用される場合、実施形態の全てまたはいくつかは、コンピュータプログラム製品の形態で実行されてもよい。コンピュータプログラム製品には、１または複数のコンピュータ命令が含まれる。コンピュータ命令がコンピュータに読み込まれて実行されるとき、本願の実施形態に従った手順または機能の全部または一部が生成される。コンピュータは、汎用コンピュータ、専用コンピュータ、コンピュータネットワーク、または他のプログラム可能な装置であってもよい。コンピュータ命令は、コンピュータ可読記憶媒体に記憶されていてもよいし、コンピュータ可読記憶媒体から別のコンピュータ可読記憶媒体に伝送されていてもよい。例えば、コンピュータ命令は、有線（例えば、同軸ケーブル、光ファイバ、またはデジタル加入者回線（ＤＳＬ））または無線（例えば、赤外線、無線、またはマイクロ波）の方式で、ウェブサイト、コンピュータ、サーバ、またはデータセンタから別のウェブサイト、コンピュータ、サーバ、またはデータセンタに伝送されてもよい。コンピュータ可読記憶媒体は、コンピュータによってアクセス可能な任意の使用可能な媒体であってもよいし、サーバやデータセンタなどのデータ記憶装置であってもよいし、１または複数の使用可能な媒体を含むものであってもよい。使用可能な媒体は、磁気媒体（例えば、フロッピーディスク（登録商標）、ハードディスク、磁気テープ）、光学媒体（例えば、ＤＶＤ）、半導体媒体（例えば、ソリッドステートドライブ（Ｓｏｌｉｄ−Ｓｔａｔｅ  Ｄｉｓｋ、ＳＳＤ）などであってもよい。
【０１３８】
当業者は、実施形態の方法の処理の全てまたはいくつかが、関連するハードウェアに命令するコンピュータプログラムによって実行されてもよいことを理解し得る。プログラムは、コンピュータ可読記憶媒体に記憶されていてもよい。プログラムが実行されるとき、実施形態の方法の処理が実行される。記憶媒体は、磁気ディスク、コンパクトディスク、リードオンリメモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）などであってもよい。
【０１３９】
上述の具体的な実装方式では、本願の実施形態の目的、技術的解決手段、および有益な効果がさらに詳細に記載されている。上述の説明は、本願の実施形態の具体的な実装方式に過ぎず、本願の実施形態の保護範囲を限定することを意図するものではないことが理解されるべきである。本願の実施形態の技術的解決手段に基づいて行われた修正、等価交換、または改善は、本願の実施形態の保護範囲内に含まれるものとする。
【図１】
2021522751.tif 000003
【図２Ａ】
2021522751.tif 000004
【図２Ｂ】
2021522751.tif 000005
【図３】
2021522751.tif 000006
【図４】
2021522751.tif 000007
【図５】
2021522751.tif 000008
【図６】
2021522751.tif 000009
【図７】
2021522751.tif 000010
【図８】
2021522751.tif 000011
【図９】
2021522751.tif 000012
【図１０】
2021522751.tif 000013
【図１１】
2021522751.tif 000014
【図１２】
2021522751.tif 000015
【図１３】
2021522751.tif 000016
【図１４】
2021522751.tif 000017
【図１５】
2021522751.tif 000018
【国際調査報告】
2021522751.tif 000019
2021522751.tif 000020
2021522751.tif 000021
2021522751.tif 000022